(57)【要約】【課題】ウィンドウ表示枚数制限に達した状態であっても、常にオペレータの新しい要求が阻害されることなく実行され、かつ、消去されたウィンドウを自動的又は簡易操作により容易に再表示可能とする。【解決手段】ウィンドウ枚数制限管理手段４０により現在表示中のウィンドウ枚数が設定された表示制限枚数と等しいと判定されると、ウィンドウ自動消去手段６０は、表示中のウィンドウから自動消去するものを選択決定し、ウィンドウ表示制御手段５０を介して表示装置２０のディスプレイ上から消去する。消去ウィンドウ記憶手段７０ａは自動消去要求された消去ウィンドウを記憶する。その後、表示中のウィンドウ枚数がウィンドウ表示制限枚数を下回ると判定された場合に、消去ウィンドウ復活手段８０は消去ウィンドウの中から１つのウィンドウを選択決定しウィンドウ表示制御手段５０を介して再表示させる。【選択図】図１
2011198129.tif 000002
【特許請求の範囲】
【請求項１】
プラント運転監視用の各種ウィンドウの表示信号を表示部に出力し、当該プラントの運転を監視するプラント運転監視装置であって、
表示指定又は消去指定入力されたウィンドウの表示要求信号又は消去要求信号を生成する要求信号生成手段と、
前記表示部へのウィンドウの表示又は消去を制御する表示制御手段と、
前記要求信号生成手段により表示要求信号が生成されると、現在の前記表示部に表示中のウィンドウ枚数と予め設定されたウィンドウの表示制限枚数を対比し、表示中のウィンドウ枚数が前記表示制限枚数未満であると判定した場合に、前記表示制御手段を介して前記表示部に表示指定入力されたウィンドウを表示し、表示中のウィンドウ枚数が前記表示制限枚数以上であると判定した場合に、ウィンドウの減少要求信号を生成する表示ウィンドウ枚数制限管理手段と、
前記表示ウィンドウ枚数制限管理手段により生成された減少要求信号に基づいて、消去すべきウィンドウを選択し、前記表示制御手段を通じて前記表示部中から当該ウィンドウを消去する自動消去手段と、
前記自動消去手段により消去された消去ウィンドウを記憶する消去ウィンドウ記憶手段と、
前記表示ウィンドウ枚数制限管理手段により表示中のウィンドウ枚数が前記表示制限枚数未満であると判定された場合に、前記消去ウィンドウ記憶手段により記憶された消去ウィンドウから、復活させるウィンドウを選択し、前記表示制御手段を通じて前記表示部に当該ウィンドウを再表示する消去ウィンドウ復活手段と、
を備えることを特徴とするプラント運転監視装置。
【請求項２】
ユーザからの入力操作に応じて、前記消去ウィンドウ復活手段により復活させるウィンドウの要否を判定する消去ウィンドウ復活要否判定手段を備えることを特徴とする請求項１に記載のプラント運転監視装置。
【請求項３】
前記消去ウィンドウ記憶手段は、消去ウィンドウと共に、前記表示部から消去する前の当該ウィンドウの表示サイズ、表示座標、表示色を含む詳細情報を合わせて記憶し、
前記消去ウィンドウ復活手段は、前記消去ウィンドウ記憶手段により記憶された前記詳細情報を基に、前記表示制御手段を通じて前記表示部にウィンドウを再表示させることを特徴とする請求項１に記載のプラント運転監視装置。
【請求項４】
コンピュータにより、プラント運転監視用の各種ウィンドウの表示信号を表示部に出力し、当該プラントの運転を監視するプラント運転監視装置の制御方法であって、
前記コンピュータは、
表示指定又は消去指定入力されたウィンドウに対する表示要求信号又は消去要求信号を生成する要求信号生成ステップと、
前記表示部へのウィンドウの表示又は消去を制御する表示制御ステップと、
前記要求信号生成ステップで表示要求信号が生成されると、現在の前記表示部に表示中のウィンドウ枚数と予め設定されたウィンドウの表示制限枚数を対比し、表示中のウィンドウ枚数が前記表示制限枚数未満であると判定した場合に、前記表示制御ステップを介して前記表示部に表示指定入力されたウィンドウを表示し、表示中のウィンドウ枚数が前記表示制限枚数以上であると判定した場合に、ウィンドウの減少要求信号を生成する表示ウィンドウ枚数制限管理ステップと、
前記表示ウィンドウ枚数制限管理ステップで生成された減少要求信号に基づいて、消去すべきウィンドウを選択し、前記表示制御ステップを通じて前記表示部中から当該ウィンドウを消去する自動消去ステップと、
前記自動消去ステップで消去された消去ウィンドウを記憶する消去ウィンドウ記憶ステップと、
前記表示ウィンドウ枚数制限管理ステップで表示中のウィンドウ枚数が前記表示制限枚数未満であると判定された場合に、前記消去ウィンドウ記憶ステップで記憶された消去ウィンドウから、復活させるウィンドウを選択し、前記表示制御ステップを通じて前記表示部に当該ウィンドウを再表示する消去ウィンドウ復活ステップと、
を実行することを特徴とするプラント運転監視装置の制御方法。
【請求項５】
コンピュータにより、プラント運転監視用の各種ウィンドウの表示信号を表示部に出力させ、当該プラントの運転を監視させるプラント運転監視装置の制御プログラムであって  当該プログラムは前記コンピュータに、
表示指定又は消去指定入力されたウィンドウに対する表示要求信号又は消去要求信号を生成する要求信号生成処理と、
前記表示部へのウィンドウの表示又は消去を制御する表示制御処理と、
前記要求信号生成処理で表示要求信号が生成されると、現在の前記表示部に表示中のウィンドウ枚数と予め設定されたウィンドウの表示制限枚数を対比し、表示中のウィンドウ枚数が前記表示制限枚数未満であると判定した場合に、前記表示制御処理を介して前記表示部に表示指定入力されたウィンドウを表示し、表示中のウィンドウ枚数が前記表示制限枚数以上であると判定した場合に、ウィンドウの減少要求信号を生成する表示ウィンドウ枚数制限管理処理と、
前記表示ウィンドウ枚数制限管理処理で生成された減少要求信号に基づいて、消去すべきウィンドウを選択し、前記表示制御処理を通じて前記表示部中から当該ウィンドウを消去する自動消去処理と、
前記自動消去処理で消去された消去ウィンドウを記憶する消去ウィンドウ記憶処理と、
前記表示ウィンドウ枚数制限管理処理で表示中のウィンドウ枚数が前記表示制限枚数未満であると判定された場合に、前記消去ウィンドウ記憶処理で記憶された消去ウィンドウから、復活させるウィンドウを選択し、前記表示制御処理を通じて前記表示部に当該ウィンドウを再表示する消去ウィンドウ復活処理と、
を実行させることを特徴とするプラント運転監視装置の制御プログラム。
【発明の詳細な説明】
【技術分野】
【０００１】
本発明は、プラント運転を監視する装置に係り、特に、プラントに関する各種情報を提示するにあたり、複数のウィンドウを表示する機能に関する。
【背景技術】
【０００２】
近年、発電プラントや化学プラント等の監視制御を行うプラント運転監視装置においても、マルチウィンドウ機能が搭載されるようになり、ウィンドウと呼ばれる矩形の表示領域に各種の機能画面を表示し、プラントの運転監視を行うのが一般的になってきている。マルチウィンドウ機能においては、ウィンドウは同時に複数枚表示することが可能であり、プラント系統図、トレンドグラフ、警報一覧等の各種ウィンドウを必要に応じて複数枚同時に表示してプラントの運転監視を行うことができる。
【０００３】
ここで、一般的なマルチウィンドウ機能では、同時に表示することが可能なウィンドウ枚数に制限はなく、何枚でもウィンドウを表示することができる。このように同時に多くのウィンドウを表示するのは、利便性の点でより優れるからである。
【０００４】
しかしながら、発電プラントや化学プラントの運転監視を行うプラント運転監視装置においては、利便性よりもむしろシステムの安定稼動に重点が置かれることが多く、同時に表示可能なウィンドウ枚数に制限を持たせている。これは、プラント運転監視装置においては監視制御対象であるプラントを安全に安定監視することが最重要事項であるためで、ウィンドウを多数表示することにより、プラント監視制御システムのＣＰＵ負荷が増大し、各種処理の遅滞や不適合を発生させることを懸念してのことである。
【０００５】
ところが、同時に表示可能なウィンドウ枚数に制限を持たせると、次々と必要なウィンドウを表示要求しているうちに、いつの間にか制限枚数に達してしまう。制限枚数を超えて次のウィンドウの表示要求を行った場合には、要求したウィンドウが表示不可能となる。
【０００６】
このような制限枚数を超えることでウィンドウが表示不可能となる場合には、一般的にオペレータに対して、「制限枚数を超えたため新しいウィンドウを表示できません」等のエラーメッセージを表示する。これにより、オペレータは、このエラーメッセージを確認後、その時点で不要なウィンドウを選択し消去要求し、その上で改めて再度必要なウィンドウの再表示要求を行う必要がある。
【０００７】
そのため、オペレータには、不要となるウィンドウを選択するといった作業や改めて再度表示するウィンドウに対して表示要求する作業が生じ、負担が増加してしまう。特に、警報発生時等のように緊急操作の必要が生じるケースでは、オペレータの作業負荷の増加は深刻な問題となり得る。
【０００８】
このような問題を解決するために、従来から、常に新しく表示要求するウィンドウを優先的に表示可能とすべく、制限枚数に達した時は、既に表示されているウィンドウの中から何れかのウィンドウを自動的に消去することで、この新しく要求されたウィンドウを優先表示する方法が提案されている（例えば特許文献１参照。）。
【０００９】
具体的には、従来のプラント運転監視装置１００におけるウィンドウ表示に関する構成例を示した図１０を参照すると、マウスやキーボードに代表される入力装置１０をオペレータが操作することで、オペレータが表示を希望するウィンドウの表示要求がウィンドウ表示／消去要求処理手段３０にて生成され、当該ウィンドウの表示要求信号が表示ウィンドウ枚数制限管理手段４０に通知される。
【００１０】
そして、表示要求を受けた表示ウィンドウ枚数制限管理手段４０では、ウィンドウ表示制御手段５０から現在表示中のウィンドウ枚数が通知されると、この現在表示中のウィンドウ枚数と当該表示ウィンドウ枚数制限管理手段４０に予め設定されたウィンドウ表示制限枚数とを比較する。ここで、「現在表示中のウィンドウ枚数＜ウィンドウ表示制限枚数」であれば、この表示ウィンドウ枚数制限管理手段４０により当該ウィンドウ表示要求がウィンドウ表示制御手段５０に通知され、ウィンドウ表示制御手段５０がＣＲＴや液晶ディスプレイに代表される表示装置２０に要求したウィンドウを表示する。
【００１１】
一方、表示ウィンドウ枚数制限管理手段４０による比較結果が「現在表示中のウィンドウ枚数＝ウィンドウ表示制限枚数」である場合には、ウィンドウ自動消去手段６０に対して表示ウィンドウ数を減らすように、表示ウィンドウ数減少要求を通知する。表示ウィンドウ数減少要求を受けたウィンドウ自動消去手段６０では、ウィンドウ表示制御手段５０から現在表示中のウィンドウに関する情報が通知されると、自動消去するウィンドウを１つ選択し、この選択したウィンドウの消去要求をウィンドウ表示制御手段５０に対して通知し返す。
【００１２】
なお、ウィンドウ自動消去手段６０により自動消去するウィンドウの選択方法については、自動消去されたことによる影響を最小にするために、表示されているウィンドウの中で最も重要でないと考えられるウィンドウを選択することとなる。例えば、「全ての表示中ウィンドウの中で一番最初に表示されたウィンドウを選択する」という方法や、「ウィンドウがアクティブでなくなってからの時間が最も長いウィンドウを選択する」という方法等が挙がる。
【００１３】
そして、ウィンドウ自動消去手段６０から消去要求を受けたウィンドウ表示制御手段５０は、この消去要求の対象となるウィンドウを表示装置２０の画面上から消去する。
【００１４】
これにより、現在表示中のウィンドウ枚数が１枚減るため、表示ウィンドウ枚数制限管理手段４０による比較結果が「現在表示中のウィンドウ枚数＜ウィンドウ表示制限枚数」となり、ウィンドウ表示／消去要求処理手段３０にて生成された、オペレータが新たに表示要求したウィンドウ表示要求信号がウィンドウ表示制御手段５０へ通知され、このウィンドウが当該ウィンドウ表示制御手段５０により表示装置２０を介して表示される。
【００１５】
なお、上記のような従来からのプラント運転監視装置１００における新規に表示要求のあったウィンドウの表示手順に相当するフローチャートを示すと図１１の通りとなる。
【００１６】
すなわち、図１１に示す通り、新規ウィンドウの表示要求が行われると、現在表示中のウィンドウ枚数がウィンドウ表示制限枚数未満であるかの判定が行われ、制限枚数未満であればそのまま新規表示要求のあったウィンドウを表示して終了となる。一方、現在表示中のウィンドウ枚数が制限枚数と等しい場合には、当該現在表示中のウィンドウの中から一意に決定されたウィンドウを自動的に消去し、その後、再び現在表示中のウィンドウ枚数がウィンドウ表示制限枚数未満であるかの判定処理を実施し、今度は制限枚数未満となることで、新規に表示要求のあったウィンドウを表示して終了となる。
【先行技術文献】
【特許文献】
【００１７】
【特許文献１】特開平２−２１４９２７号公報
【発明の概要】
【発明が解決しようとする課題】
【００１８】
ところで、上記のような従来からのプラント運転監視装置では、常にオペレータからの新たなウィンドウ表示要求を優先させるため、ウィンドウの表示枚数がウィンドウ表示枚数制限に達すると、最も重要でないと考えられるウィンドウを一意に選択し、自動的に消去する。すなわち、この監視装置は、ウィンドウ表示枚数制限に邪魔されることなく、常にオペレータからの新たなウィンドウ表示要求を優先させて表示する。
【００１９】
しかしながら、このような従来からのプラント運転監視装置においては、下記の通り、自動消去するウィンドウの選択方法に問題が生じる。具体的には、このプラント監視装置では、自動消去するウィンドウの選択方法として、すなわち、自動消去されたことによる影響を最小にすべく、表示されているウィンドウの中で最も重要でないと考えられるウィンドウを選択するために種々の方法を用いているが、オペレータにとって本当に重要なウィンドウがどれかについては、オペレータ自身が表示させる目的に応じて異なるため、一定のルールで一意に決定することは不可能と言える。
【００２０】
例えば、プラントの安全な運転監視を行う上で非常に重要なウィンドウが、偶然、時間的に最も早く表示されていて、この表示されたままの状態が他のウィンドウの開かれていく間も長い時間維持されるということは十分に考えられる。そのため、このような状況下において、自動消去するウィンドウの選択方法として上述した「全ての表示中ウィンドウの中で一番最初に表示されたウィンドウを選択する」という方法や、「ウィンドウがアクティブでなくなってからの時間が最も長いウィンドウを選択する」という方法を採用した場合、どちらの選択方法であっても、本来最も重要であったウィンドウが自動消去するウィンドウとして一意に選択されてしまうこととなる。
【００２１】
つまり、従来のプラント運転監視装置では、オペレータによる最新の画面表示要求によって重要なウィンドウが自動消去されてしまうことがあるため、その度にオペレータは消去された重要なウィンドウをメニュー等を介して再度表示要求し直す必要が生じていた。
【００２２】
本発明は、上記のような問題を解決するために提案されたものであって、その目的は、ウィンドウ表示枚数制限が設けられたプラント運転監視装置において、ウィンドウ表示制限枚数に達した状態であっても、常にオペレータの新しい要求が阻害されることなく実行され、かつ、そのために消去されたウィンドウを自動的又は簡易操作により容易に再表示することが可能なプラント運転監視装置、その制御方法及び制御プログラムを提案することにある。
【課題を解決するための手段】
【００２３】
上述した目的を達成するために、本発明は、プラント運転監視用の各種ウィンドウの表示信号を表示部に出力し、当該プラントの運転を監視するプラント運転監視装置であって、表示指定又は消去指定入力されたウィンドウの表示要求信号又は消去要求信号を生成する要求信号生成手段と、前記表示部へのウィンドウの表示又は消去を制御する表示制御手段と、前記要求信号生成手段により表示要求信号が生成されると、現在の前記表示部に表示中のウィンドウ枚数と予め設定されたウィンドウの表示制限枚数を対比し、表示中のウィンドウ枚数が前記表示制限枚数未満であると判定した場合に、前記表示制御手段を介して前記表示部に表示指定入力されたウィンドウを表示し、表示中のウィンドウ枚数が前記表示制限枚数以上であると判定した場合に、ウィンドウの減少要求信号を生成する表示ウィンドウ枚数制限管理手段と、前記表示ウィンドウ枚数制限管理手段により生成された減少要求信号に基づいて、消去すべきウィンドウを選択し、前記表示制御手段を通じて前記表示部中から当該ウィンドウを消去する自動消去手段と、前記自動消去手段により消去された消去ウィンドウを記憶する消去ウィンドウ記憶手段と、前記表示ウィンドウ枚数制限管理手段により表示中のウィンドウ枚数が前記表示制限枚数未満であると判定された場合に、前記消去ウィンドウ記憶手段により記憶された消去ウィンドウから、復活させるウィンドウを選択し、前記表示制御手段を通じて前記表示部に当該ウィンドウを再表示する消去ウィンドウ復活手段と、を備えることを特徴とする。
【発明の効果】
【００２４】
以上のような本発明によれば、ウィンドウが表示制限枚数に達している際に表示部に新規ウィンドウを表示する場合、表示中のウィンドウを消去すると共に、当該消去ウィンドウを格納することができるので、その後、消去要求が行われることで制限枚数に余裕が出ると同時に、格納されていたウィンドウを自動的に再表示することが可能となる。これにより、再表示したいウィンドウを改めて選択し入力する手間が省け、オペレータの負担を一層軽減することができる。
【図面の簡単な説明】
【００２５】
【図１】本発明の第１の実施形態に係るプラント運転監視装置の全体構成例を示す機能ブロック図
【図２】本発明の第１の実施形態に係るプラント運転監視装置の作用を示すフローチャート
【図３】本発明の第１の実施形態に係るプラント運転監視装置の表示装置におけるウィンドウの表示態様を示す図
【図４】本発明の第２の実施形態に係るプラント運転監視装置の全体構成例を示す機能ブロック図
【図５】本発明の第２の実施形態に係るプラント運転監視装置の作用を示すフローチャート
【図６】本発明の第２の実施形態に係るプラント運転監視装置における復活表示させるウィンドウの要否を確認させる表示装置に表示された再表示要否確認ウィンドウの画面例。
【図７】本発明の第３の実施形態に係るプラント運転監視装置の全体構成例を示す機能ブロック図
【図８】本発明の第３の実施形態に係るプラント運転監視装置におけるウィンドウの表示例を示す図
【図９】本発明の第３の実施形態に係るプラント運転監視装置の表示装置におけるウィンドウの表示態様を示す図
【図１０】従来技術に係るプラント運転監視装置の全体構成例を示す機能ブロック図
【図１１】従来技術に係るプラント運転監視装置の作用を示すフローチャート
【発明を実施するための形態】
【００２６】
［１．第１の実施形態］
［１．１．構成］
次に、第１の実施形態に係るプラント運転監視装置の構成について、図１を参照して以下に説明する。なお、図１は、第１の実施形態に係るプラント運転監視装置において、最小限必要となる機能を有する全体構成例を示す機能ブロック図である。
【００２７】
図１に示す通り、第１の実施形態に係るプラント運転監視装置１００は、入力装置１０と、表示装置２０と、ウィンドウ表示／消去要求処理手段３０と、表示ウィンドウ枚数制限管理手段４０と、ウィンドウ表示制御手段５０と、ウィンドウ自動消去手段６０と、消去ウィンドウ記憶手段７０ａと、消去ウィンドウ復活手段８０と、から構成される。
【００２８】
この入力装置１０は、マウスやキーボード等の他、液晶ディスプレイ上のタッチパネル等を含む操作部に相当する。表示装置２０は、ＣＲＴや液晶ディスプレイ等からなる表示画面を有している。
【００２９】
ウィンドウ表示／消去要求処理手段３０は、入力装置１０を介してオペレータから新規ウインドウの表示要求又は現在表示中のウィンドウの消去要求があった場合に、表示要求信号又は消去要求信号を生成する手段であり、生成した表示要求信号又は消去信号を表示ウィンドウ枚数制限管理手段４０に通知する。
【００３０】
表示ウィンドウ枚数制限管理手段４０は、ウィンドウ表示／消去要求処理手段３０により通知される信号が、新規ウィンドウの表示要求信号であるか、あるいは消去要求信号であるかを識別する要求信号識別部４１と、新規ウィンドウの表示要求信号である場合に、予め設定されたウィンドウの表示制限枚数とウィンドウ表示制御手段５０から通知された表示装置２０に現在表示中のウィンドウ枚数とを比較する表示枚数比較部４２と、を有している。
【００３１】
この表示枚数比較部４２は、現在表示中のウィンドウ枚数が設定された表示制限枚数を下回ると判定した場合に、この新規ウィンドウの表示要求信号をウィンドウ表示制御手段５０に対して通知する。一方、この表示枚数比較部４２は、現在表示中のウィンドウ枚数が設定された表示制限枚数と等しいと判定する場合に、ウィンドウ自動消去手段６０に対して表示ウィンドウ数を減らすように表示ウィンドウ数の減少要求信号を生成し通知する。
【００３２】
なお、この表示ウィンドウ枚数制限管理手段４０では、表示枚数比較部４２が、ウィンドウ表示制限枚数と表示装置２０に現在表示中のウィンドウ枚数との比較処理を常時実施しており、現在表示中のウィンドウ枚数がウィンドウ表示制限枚数を下回る場合を検出した際は、その旨を消去ウィンドウ復活手段８０に通知する。
【００３３】
また、この表示ウィンドウ枚数制限管理手段４０では、要求信号識別部４１が、ウィンドウ表示／消去要求処理手段３０により通知された信号が消去要求信号であると識別した場合に、ウィンドウ自動消去手段６０を介さずに、そのままこの消去要求信号をウィンドウ表示制御手段５０に通知する。
【００３４】
ウィンドウ表示制御手段５０は、表示装置２０へのウィンドウの表示又は消去を制御する手段であり、表示要求信号を受けた場合には、要求されたウィンドウを新規に表示装置２０に表示し、消去要求信号を受けた場合には、要求されたウィンドウを表示装置２０のディスプレイ上から消去する。また、このウィンドウ表示制御手段５０は、表示装置２０に現在表示中のウィンドウ枚数やどのウィンドウであるか等の表示ウィンドウに関する情報を前記表示ウィンドウ枚数制限管理手段４０や、後述するウィンドウ自動消去手段６０に通知する。
【００３５】
ウィンドウ自動消去手段６０は、表示ウィンドウ枚数制限管理手段４０から表示ウィンドウ数の減少要求が通知され、かつ、ウィンドウ表示制御手段５０から現在表示中の表示ウィンドウに関する情報が通知された際に、これらの表示中のウィンドウから自動消去するウィンドウを予め定められた選択方法により一意に１つ選択決定する手段である。また、このウィンドウ自動消去手段６０は、選択決定したウィンドウに対する消去要求をウィンドウ表示制御手段５０に通知すると共に、後述する消去ウィンドウ記憶手段７０ａに、この消去ウィンドウに関する情報を通知する。
【００３６】
ここで、消去ウィンドウを決定する予め定められた選択方法とは、従来技術と同様に、最も早く立ち上げられたウィンドウや長い間アクティブのないウィンドウ等を選択する方法の他、オペレータが任意に設定することも可能である。
【００３７】
消去ウインドウ記憶手段７０は、ウィンドウ自動消去手段６０により通知された消去ウィンドウに関する情報を記憶する手段であり、この消去ウィンドウ記憶手段７０ａにより記憶された複数の消去ウィンドウが、後述する消去ウィンドウ復活手段８０による復活表示させるウィンドウの対象となる。
【００３８】
消去ウィンドウ復活手段８０は、表示ウィンドウ枚数制限管理手段４０から「表示装置２０へ表示中のウィンドウ枚数がウィンドウ表示制限枚数を下回る場合を検出した」旨の通知を受け取った際に、消去ウィンドウ記憶手段７０ａに記憶された以前に自動消去されたウィンドウの中から復活させる１つのウィンドウを、予め定められた選択方法により一意に選択決定する手段である。また、この消去ウィンドウ復活手段８０は、選択決定した復活させるウィンドウの再表示要求をウィンドウ表示制御手段５０へ通知する。
【００３９】
なお、消去ウィンドウ復活手段８０による復活させるウインドウの選択方法は自由に設定可能であり、重要度別にランク付けしたウィンドウを当該重要度の高い順に選択させるようにしたり、消去前のアクティブ時間が最も長かったものを選択させるようにしたり、最も早く消去されたウィンドウを選択させるようにしたりすることが可能である。
【００４０】
［１．２．作用］
次に、上記のような構成を有する第１の実施形態に係るプラント監視運転装置の作用を図２を参照して以下に説明する。なお、図２は、本発明の第１の実施形態に係るプラント運転監視装置の作用を示すフローチャートである。
【００４１】
図２に示す通り、まず、入力装置１０を介したオペレータによるウィンドウの表示要求又は消去要求が、ウィンドウ表示／消去要求処理手段３０に伝えられる。これにより、ウィンドウ表示／消去要求処理手段３０では、オペレータが入力装置１０を用いて入力した操作内容に応じて、新規ウィンドウの表示要求信号、又は現在表示中のウィンドウの消去要求信号を生成し、表示ウィンドウ枚数制限管理手段４０に通知する（Ｓ２０１）。
【００４２】
表示ウィンドウ枚数制限管理手段４０では、要求信号識別部４１が、通知された要求信号が新規ウィンドウの表示要求信号であるか、あるいは現在表示中のウィンドウの消去要求信号であるかを判定する（Ｓ２０２）。
【００４３】
ここで、要求信号識別部４１により要求信号が消去要求信号であると判定された場合には（Ｓ２０２のＮＯ）、この表示ウィンドウ枚数制限管理手段４０は、この消去信号をウィンドウ表示制御手段５０に通知する。これを受けてウィンドウ表示制御手段５０では、消去要求されたウィンドウの消去処理を実施し、表示装置２０のディスプレイ上から当該ウィンドウを消去する（Ｓ２０３）。
【００４４】
一方、要求信号識別部４１により要求信号が表示要求信号であると判定された場合には（Ｓ２０２のＹＥＳ）、表示枚数比較部４２が、ウィンドウ表示制御手段５０から通知される表示装置２０に現在表示中のウィンドウ枚数と、表示ウィンドウ枚数制限管理手段４０に予め設定されたウィンドウ表示制限枚数と、を比較する（Ｓ２０４）。
【００４５】
表示枚数比較部４２により表示装置２０に現在表示中のウィンドウ枚数が設定された表示制限枚数を下回ると判定された場合には（Ｓ２０４のＹＥＳ）、この新規ウィンドウの表示要求信号をウィンドウ表示制御手段５０に対して通知する。これを受けてウィンドウ表示制御手段５０は表示要求されたウィンドウを新規に表示装置２０に表示する（Ｓ２０５）。
【００４６】
また、表示枚数比較部４２により表示装置２０に現在表示中のウィンドウ枚数が設定された表示制限枚数と等しいと判定された場合には（Ｓ２０４のＮＯ）、ウィンドウ自動消去手段６０に対して表示ウィンドウ数を減らすように表示ウィンドウ数の減少要求信号を生成し通知する。ここで、表示ウィンドウ数の減少要求信号を受けたウィンドウ自動消去手段６０では、ウィンドウ表示制御手段５０から通知される現在表示中のウィンドウに関する情報を基に、これらの表示中のウィンドウから自動消去する１つのウィンドウを予め設定された選択方法により一意に選択決定する（Ｓ２０６）。
【００４７】
消去対象となるウィンドウが選択決定すると、このウィンドウ自動消去手段６０は、ウィンドウ表示制御手段５０に対して、選択決定した当該ウィンドウの消去要求を通知し、このウィンドウ表示制御手段５０を介して、消去要求されたウィンドウを表示装置２０のディスプレイ上から消去する（Ｓ２０７）。これにより、表示装置２０に現在表示中のウィンドウ枚数は減少するため、Ｓ２０４において、表示ウィンドウ枚数制限管理手段４０の表示枚数比較部４２により表示装置２０に現在表示中のウィンドウ枚数が設定された表示制限枚数を下回ると判定され（２０４のＹＥＳ）、Ｓ２０５の通り、表示装置２０に表示要求のあった新規ウィンドウが表示される。
【００４８】
また、ウィンドウ自動消去手段６０は、Ｓ２０６において、消去対象となるウィンドウが選択決定された際に、消去ウィンドウ記憶手段７０ａに対して自動消去要求した消去ウィンドウに関する情報を通知し、この消去ウィンドウ記憶手段７０ａを通じて自動消去要求された消去ウィンドウに関する情報を記憶する（Ｓ２０８）。
【００４９】
なお、表示ウィンドウ枚数制限管理手段４０では、ウィンドウ表示制限枚数と、ウィンドウ表示制御手段５０から通知される表示装置２０における表示中のウィンドウ枚数と、の比較処理を常時行っている。そのため、消去ウインドウ記憶手段７０により消去ウィンドウに関する情報が記憶された後に、この表示ウィンドウ枚数制限管理手段４０の表示枚数比較部４２が表示装置２０に現在表示中のウィンドウ枚数とウィンドウ表示制限枚数を比較し（Ｓ２０９）、当該表示中のウィンドウ枚数がウィンドウ表示制限枚数を下回ると判定した場合には（Ｓ２０９のＹＥＳ）、その旨を消去ウィンドウ復活手段８０に通知する（ただし、このときＳ２０７からＳ２０４の処理が優先される。）。
【００５０】
これにより、消去ウィンドウ復活手段８０では、表示ウィンドウ枚数制限管理手段４０から「表示装置２０に現在表示中のウィンドウ枚数がウィンドウ表示制限枚数を下回る」旨の通知を受けると、消去ウィンドウ記憶手段７０ａにより記憶された消去ウィンドウの中から予め定められた選択方法により１つのウィンドウを一意に選択決定し（Ｓ２１０）、そのウィンドウの再表示要求をウィンドウ表示制御手段５０に通知する。そして、ウィンドウ表示制御手段５０では、消去ウィンドウ復活手段８０から通知されたウィンドウの再表示要求を受けて、選択されたウィンドウを表示装置２０に表示する（Ｓ２１１）。
【００５１】
［１．３．画面表示例］
次に、第１の実施形態に係るプラント運転監視装置の表示装置２０のディスプレイ上におけるウィンドウの表示遷移例を、図３を参照して以下に説明する。なお、図３は、第１の実施形態に係るプラント運転監視装置１００において、ウィンドウ表示制限枚数が４枚で、《状態１》から《状態５》までの時系列に並んだ５つの状態の遷移例を表したものである。
【００５２】
図３に示す通り、《状態１》は初期状態を示しており、表示装置２０のディスプレイ上にウィンドウ（Ａ）、ウィンドウ（Ｂ）、ウィンドウ（Ｃ）の３枚のウィンドウが表示されている。また、消去ウィンドウ記憶手段７０ａは何も記憶されていない状態を示している。なお、本例では、ウィンドウ表示制限枚数を４枚と定めているので、《状態１》ではまだ１枚のウィンドウを表示する余裕がある。
【００５３】
次いで《状態２》では、オペレータよりウィンドウ（Ｄ）が新たに表示要求された状態を示しているが、前述したようにウィンドウ表示制限枚数には１枚余裕があるため、いずれのウィンドウも消去することはなく普通にウィンドウ（Ｄ）が表示されている。なお、消去ウィンドウ記憶手段７０ａには何も記憶されていない。
【００５４】
次いで《状態３》では、さらに、オペレータよりウィンドウ（Ｅ）を新たに表示要求された状態を示している。この時点では既にウィンドウ表示制限枚数と同じ４枚のウィンドウが表示されているため、まず、ウィンドウ自動消去手段６０が予め設定された選択方法により自動消去するウィンドウを一意に１つ選択決定し、ウィンドウ表示制御手段５０を通じてそのウィンドウを自動消去すると共に、消去ウィンドウ記憶手段７０ａにより自動消去したウィンドウが記憶される。
【００５５】
図３の例では、ウィンドウ自動消去手段６０によりウィンドウ（Ａ）が一意に選択されたことを示しており、ウィンドウ表示制御手段５０を通じて表示装置２０のディスプレイ上からウィンドウ（Ａ）が消去され、消去ウィンドウ記憶手段７０ａがウィンドウ（Ａ）を記憶している。また、このようにウィンドウ（Ａ）が消去されることで、ウィンドウ表示制限枚数の４枚に対して１枚余裕ができ、表示ウィンドウ枚数制限管理手段４０により現在表示中のウィンドウ枚数が表示制限枚数を下回ると判定されるため、オペレータが表示要求したウィンドウ（Ｅ）がウィンドウ表示制御手段５０を介して表示される。
【００５６】
次いで《状態４》では、さらに、オペレータよりウィンドウ（Ｆ）を新たに表示要求された状態を示している。処理としては上述した《状態３》と同様で、図３の例では、ウィンドウ自動消去手段６０によりウィンドウ（Ｂ）が一意に選択されたことが示され、ウィンドウ表示制御手段５０を通じて表示装置２０のディスプレイ上からウィンドウ（Ｂ）を消去し、また、消去ウィンドウ記憶手段７０ａが上述したウィンドウ（Ａ）だけでなくウィンドウ（Ｂ）も記憶している。また、このようにウィンドウ（Ｂ）が消去されることで、ウィンドウ表示制限枚数の４枚に対して１枚余裕ができ、表示ウィンドウ枚数制限管理手段４０により現在表示中のウィンドウ枚数が表示制限枚数を下回ると判定されるため、オペレータが表示要求したウィンドウ（Ｆ）がウィンドウ表示制御手段５０を介して表示される。
【００５７】
最後の《状態５》では、これまでとは逆にオペレータより表示装置２０のディスプレイ上に現在表示中のウィンドウ（Ｄ）の消去要求がなされた状態を示している。ウィンドウ表示制御手段５０を介してウィンドウ（Ｄ）が消去されたことにより、ウィンドウ表示制限枚数の４枚に対して１枚余裕が生じ、表示ウィンドウ枚数制限管理手段４０の表示枚数比較部４２により、現在表示中のウィンドウ枚数が設定された表示制限枚数を下回ると判定されるため、消去ウィンドウ復活手段８０が、消去ウィンドウ記憶手段７０ａを通じて記憶されていた消去ウィンドウであるウィンドウ（Ａ）とウィンドウ（Ｂ）から予め設定された選択方法により復活させるウィンドウ（Ｂ）を選択決定する。これにより、選択決定したウィンドウ（Ｂ）が再表示要求され、ウィンドウ表示制御手段５０を介して表示装置２０のディスプレイ上に再表示される。
【００５８】
［１．４．効果］
以上のような第１の実施形態によれば、表示装置に表示するウィンドウが表示制限枚数に達することで表示中のウィンドウを消去し、新規ウィンドウが表示された場合、その後、消去要求をすることで制限枚数に余裕が出ると同時に、以前に消去され消去ウィンドウ記憶手段により格納されていたウィンドウを自動的に再表示することが可能となる。これにより、再表示したいウィンドウを改めて選択し入力する手間が省け、オペレータの負担を一層軽減することができる。
【００５９】
より厳密に言えば、予め設定されたウィンドウ表示制限枚数と表示中のウィンドウ枚数とが等しくなった状態において、オペレータが新規ウィンドウの表示要求をした場合、予め定められた選択方法によって、最も重要でないと判断されたウィンドウが自動消去されると同時にオペレータが要求した新規ウィンドウが表示される。その上で、自動的にオペレータが不要と判断したウィンドウを消去要求することでウィンドウ表示制限枚数に余裕が生じると、過去に自動消去されたウィンドウの中から、予め定められた選択方法によって最も重要と判断されたウィンドウが一意に選択され自動的に再表示することができる。
【００６０】
つまり、ウィンドウ表示制限枚数に達した状態であっても、常にオペレータの新しい表示要求が阻害されることなく実行され、かつ、そのために自動的に消去されたウィンドウを自動的に再表示することが可能となり、オペレータが重要と考えているウィンドウが消去されてしまった場合であっても、例えば、後でオペレータが不要と判断したウィンドウを削除要求するだけで、自動消去されていた重要なウィンドウが自動的に再表示されることとなり、オペレータの負荷を軽減することができる。
【００６１】
［２．第２の実施形態］
［２．１．構成］
次に、本発明の第２の実施形態に係るプラント運転監視装置の構成ついて、図４を参照して以下に説明する。なお、第１の実施形態と共通する構成については説明を省略し同じ符号を付すものとする。図４は、第２の実施形態に係るプラント運転監視装置の全体構成を示す機能ブロック図である。
【００６２】
図４に示す通り、第２の実施形態では、第１の実施形態に係る構成に、消去ウィンドウ復活手段８０により以前に消去されたウィンドウを復活させる際に、オペレータによる確認操作に基づき当該ウィンドウの復活の要否を判定する消去ウィンドウ復活要否確認手段９０を加えた構成を有する。
【００６３】
この消去ウィンドウ復活要否確認手段９０は、消去ウィンドウ復活手段８０を通じて消去ウィンドウ記憶手段７０ａにより記憶された消去ウィンドウを復活させる際に、オペレータによる入力装置１０を介した入力操作により、予め設定された選択方法により選択決定されたウィンドウの復活表示の要否を判定する手段である。具体的な動作については、［２．２．作用］の項目にて詳述する。
【００６４】
［２．２．作用］
次に、上記のような構成を有する第２の実施形態の作用を、図５及び６を参照して以下に説明する。なお、第１の実施形態と同様な作用については説明を省略し、以下では相違する部分について詳述する。図５は、第２の実施形態に係るプラント運転監視装置の作用を示すフローチャートであり、図６は、復活表示させるウィンドウの要否を確認させる表示装置２０に表示された再表示要否確認ウィンドウの画面例である。
【００６５】
第２の実施形態では、図５に示す通り、第１の実施形態に係る図２のＳ２０１〜２０９と同様の処理が実施され、Ｓ５０９において、消去ウィンドウ復活手段８０は、表示ウィンドウ枚数制限管理手段４０から「表示装置２０に現在表示中のウィンドウ枚数がウィンドウ表示制限枚数を下回る」旨の通知を受けると、消去ウィンドウ記憶手段７０ａより記憶された消去ウィンドウの中から予め定められた選択方法により１つのウィンドウを一意に選択決定し（Ｓ５１０）、図６に示すような消去ウィンドウの再表示要否確認ウィンドウを作成し表示装置２０に表示する（Ｓ５１１）。具体的には、この消去ウィンドウ復活手段８０により作成される消去ウィンドウの再表示要否確認ウィンドウは、消去ウィンドウ復活手段８０にて一意に決定された復活表示するウィンドウ名と共に、復活表示が必要か不要かを選択させるための選択ボタンが表示される。
【００６６】
ここで、消去ウィンドウ復活要否確認手段９０は、入力装置１０を介したオペレータによる消去ウィンドウ再表示要否確認ウィンドウ中の復活表示させるウィンドウの要否の選択操作により、当該ウィンドウを復活させるか否かを判定する（Ｓ５１２）。なお、図６に示した例では、オペレータが必要と判断した場合であり入力装置１０を介して「要」を選択しているが、不要と判断した場合は入力装置１０を介して「不要」を選択することとなる。
【００６７】
そして、このように消去ウィンドウ復活要否確認手段９０により復活表示させるウィンドウの要否判定が行われると、その要否判定結果が消去ウィンドウ復活手段８０に通知される。ここで、消去ウィンドウ復活要否確認手段９０によりウィンドウを復活させると判定された場合、すなわち復活表示が「要」と判定された場合には（Ｓ５１２のＹＥＳ）、この消去ウィンドウ復活手段８０は、ウィンドウ復活の表示要求をウィンドウ表示制御手段４０に通知し、ウィンドウ表示制御手段５０が、この再表示要求を受けたウィンドウを表示装置２０に表示する（Ｓ５１３）。
【００６８】
一方、消去ウィンドウ復活要否確認手段９０によりウィンドウを復活させないと判定された場合、すなわち復活表示が「不要」と判定された場合には（Ｓ５１２のＮＯ）、再表示要求が行われず終了する。
【００６９】
［２．３．効果］
以上のような第２の実施形態によれば、自動的に復活表示するウィンドウの表示要否を事前にオペレータにより判断する機会を与えることができるので、表示不要なウィンドウが再表示されることを確実に防止することが可能となる。
【００７０】
［３．第３の実施形態］
［３．１．構成］
次に、本発明の第３の実施形態に係るプラント運転監視装置の構成ついて、図７を参照して以下に説明する。なお、第１又は２の実施形態と共通する構成については説明を省略し同じ符号を付すものとする。図７は、第３の実施形態に係るプラント運転監視装置の全体構成を示す機能ブロック図である。
【００７１】
図７に示す通り、第３の実施形態では、第１の実施形態に係る消去ウィンドウ記憶手段７０ａに代えて、記憶対象を消去ウィンドウ名だけでなく、当該ウィンドウの表示サイズ、表示座標や表示色等の詳細情報を記憶する消去ウィンドウ詳細情報記憶手段７０ｂを備えることを特徴とする。それ以外は、第１の実施形態に係る構成と共通するため説明を省略する。
【００７２】
［３．２．作用］
次に、上記のような構成を有する第３の実施形態に係る作用を説明するが、ここでは、第１の実施形態と相違する消去ウィンドウ詳細情報記憶手段７０ｂによる記憶処理、及び消去ウィンドウ復活手段８０による消去ウィンドウ詳細情報記憶手段７０ｂからの消去ウィンドウの復活処理のみ詳述する。
【００７３】
すなわち、第３の実施形態では、消去ウィンドウ詳細情報記憶手段７０ｂが、消去されるウィンドウを自動的に記憶する際に、そのウィンドウの閉じる直前の詳細情報を記憶する。より詳細に言えば、ウィンドウ自動消去手段６０から自動消去するウィンドウ名が通知された時点で、消去ウィンドウ詳細情報記憶手段７０ｂは、ウィンドウ表示制御手段５０より自動消去されるウィンドウに関する詳細情報として、表示サイズ、表示座標や表示色等を合わせて記憶する。
【００７４】
例えば、一般的なマルチウィンドウシステムでは、表示するウィンドウのサイズや表示装置２０はオペレータによって任意に変更が可能であり、図８に示すように、表示中のウィンドウ（Ａ）、（Ｂ）、（Ｃ）は表示サイズも表示位置もまちまちである。そのため、消去ウィンドウ詳細情報記憶手段７０ｂでは、このような表示サイズや表示位置等の詳細情報もウィンドウ名と共に合わせて記憶する。
【００７５】
つまり、第１の実施形態の図２のフローチャートで言えば、Ｓ２０６において、消去対象となるウィンドウが選択決定されると、ウィンドウ自動消去手段６０が、消去ウィンドウ詳細情報記憶手段７０ｂに対して自動消去要求した消去ウィンドウに関する情報を通知し、これにより、この消去ウィンドウ詳細情報記憶手段７０ｂが、自動消去要求された消去ウィンドウ名と共に、当該ウィンドウの表示サイズ、表示座標や表示色等の詳細情報も合わせて記憶する。
【００７６】
一方、消去ウィンドウが復活表示要求された場合には、消去ウィンドウ詳細情報記憶手段７０ｂにより消去ウィンドウ自体と合わせて記憶された表示サイズ、表示座標等の詳細情報を読み出し、当該詳細情報に基づいてウィンドウを表示装置２０に表示する。具体的には、消去ウィンドウ復活手段８０では、表示ウィンドウ枚数制限管理手段４０から「表示装置２０に現在表示中のウィンドウ枚数がウィンドウ表示制限枚数を下回る」旨の通知を受けると、予め定められた選択方法により復活表示する消去ウィンドウを消去ウィンドウ詳細情報記憶手段７０ｂから選択決定し読み出す。
【００７７】
この際、消去ウィンドウ復活手段８０は、読み出す消去ウィンドウと共に、表示サイズ、表示座標や表示色等の詳細情報を、消去ウィンドウ詳細情報記憶手段７０ｂから合わせて読み出し、ウィンドウ表示制御手段５０へ通知する。これにより、ウィンドウ表示制御手段５０では、この通知された詳細情報を基に、自動消去された時点と同じ態様で、読み出したウィンドウを表示装置２０に復活表示する。
【００７８】
［３．３．画面表示例］
次に、第３の実施形態のプラント運転監視装置１００におけるウィンドウの表示遷移例を、図９を参照して以下に説明する。図９は、第３の実施形態に係るプラント運転監視装置１００において、ウィンドウ表示制限枚数が４枚のケースで、《状態１》から《状態５》までの時系列に並んだ５つの状態の遷移例を表したものである。なお、第１の実施形態に係る画面表示例である図３の内容と共通するものについては説明を省略する。
【００７９】
第３の実施形態では、上述した通り、消去ウィンドウ詳細情報記憶手段７０ｂが、自動消去したウィンドウの情報を記憶する場合、ウィンドウの表示サイズや表示座標等の詳細情報も合わせて記憶する。そのため、図９に示す通り、オペレータより表示装置２０のディスプレイ上に現在表示中のウィンドウ（Ｄ）の消去要求がなされた状態を示す《状態５》では、ウィンドウ（Ｄ）が消去され、ウィンドウ（Ｂ）が自動的に復活表示される場合、当該ウィンドウ（Ｂ）は、自動消去される前と同じ表示サイズと表示位置に復活表示されることになる。
【００８０】
［３．４．効果］
以上のような第３の実施形態によれば、消去するウィンドウを記憶する際、当該ウィンドウの表示サイズ、表示位置、表示色等の詳細情報を合わせて記憶することができるので、自動消去されたウィンドウを復活表示する場合、消去前と同じ状態でこのウィンドウを表示することが可能となる。
【００８１】
つまり、オペレータは、通常、ウィンドウを複数表示する際、オペレータが監視し易いように各々のウィンドウに適したウィンドウサイズに設定し、また、互いに重なり合うことでウィンドウが見え難くならないように表示位置を任意に設定するが、この場合であっても、復活表示するウィンドウを、オペレータにより決められた最適な表示サイズ、表示位置や表示色等で自動的に再現することが可能となる。これにより、自動的に消去する以前に表示していた状態のウィンドウが表示されるので、ウィンドウを復活表示させた場合であっても、その後にオペレータによる再設定の必要はなくなり、操作上の負荷を軽減することができる。
【符号の説明】
【００８２】
１０…入力装置
２０…表示装置
３０…ウィンドウ表示／消去要求処理手段
４０…ウィンドウ表示制御手段
４０…表示ウィンドウ枚数制限管理手段
４１…要求信号識別部
４２…表示枚数比較部
５０…ウィンドウ表示制御手段
６０…ウィンドウ自動消去手段
７０ａ…消去ウインドウ記憶手段
７０ｂ…消去ウィンドウ詳細情報記憶手段
８０…消去ウィンドウ復活手段
９０…消去ウィンドウ復活要否確認手段
１００…プラント運転監視装置
【図１】
2011198129.tif 000003
【図２】
2011198129.tif 000004
【図３】
2011198129.tif 000005
【図４】
2011198129.tif 000006
【図５】
2011198129.tif 000007
【図６】
2011198129.tif 000008
【図７】
2011198129.tif 000009
【図８】
2011198129.tif 000010
【図９】
2011198129.tif 000011
【図１０】
2011198129.tif 000012
【図１１】
2011198129.tif 000013